(57)【特許請求の範囲】
【請求項１】
ペットの胴体に沿って配置され、ペット顔側及び尻尾側に位置する前側端部及び後側端部を有する本体部と；
前記本体部に設けられ、ペットの排泄物を吸収する吸収体と；
前記本体部の前側端部において、当該本体部と直交する方向に延びる胴体固定用帯状部と；
前記本体部の後端縁部から前側端部側に向かって切り込みを形成して左右に２分割することによって形成される２本の尻部固定用帯状部と；
前記２本の尻部固定用帯状部の端部と前記胴体固定用帯状部とを接着する接着手段とを備え、
前記切り込みは、前記吸収体に達しない位置で終結する終端部を形成し、
前記切り込みの終端部には、前記切り込みに沿ってその両側に延び、且つ、当該切り込みの前記終端部を囲むようにＵ字状に成形された異種部材が設けられ、
前記異種部材は、前記本体部より剛性が高く柔軟な素材で成形されており、
当該オムツの装着に際しては、前記胴体固定用帯状部を前記ペットの胴体に巻き付けて固定し、次に、前記本体部を前記異種部材の根元から折り曲げて、前記ペットの尻部を包み込むように前記２本の尻部固定用帯状部の端部を互いに交差させ、前記接着手段によって当該２本の尻部固定用帯状部の端部を前記胴体固定用帯状部に接着して固定することを特徴とするペット用オムツ。
【請求項２】
前記接着手段は、前記２本の尻部固定用帯状部の端部に設けられたメカニカルファスナーのフック部と；前記胴体固定用帯状部の外面に設けられたメカニカルファスナーのループ部とから構成されることを特徴とする請求項１に記載のペット用オムツ。
【請求項３】
前記２本の尻部固定用帯状部には、前記ペットの尻尾付近において、当該帯状部同士を固定するための接着手段が設けられていることを特徴とする請求項１又は２に記載のペット用オムツ。
【請求項４】
前記２本の尻部固定用帯状部は、前記胴体固定用帯状部と反対側の端部に向かって、幅が細くなるように成形されていることを特徴とする請求項１乃至３の何れか一項に記載のペット用オムツ。
【発明の詳細な説明】
【０００１】
【発明の属する技術分野】
本発明はペット用の使い捨てオムツ、生理用吸収性物品等のペット用の吸収性物品の改良に関する。
【０００２】
【従来の技術】
従来のペット用オムツとして、Ｔ字状の本体部を有するものがある。Ｔ字タイプのオムツは、左右に延びた帯状部と、これら帯状部の中心から垂直に延びる後方部（本体部）とから構成される。そして、本体部の尻尾に対応する位置には穴を開けてある。使用（装着）に際しては、ペットの腹側から背中側に渡って帯状部を巻き付けて、当該オムツをペットの胴体に固定する。その後、本体部の穴にペットの尻尾を通す。ペットの尻尾を通す穴は、そこからの漏れを防止するために、尻尾の径に対して必要以上に大きく設計することはできない。
【０００３】
【発明が解決しようとする課題】
上記のような従来のペット用オムツにおいては、オムツの装着時にペットの尻尾を手でつかんで穴に通す必要がある。このため、ペットがオムツの装着を嫌がることが多い。また、オムツに形成された穴にペットの尻尾を通す作業をスムーズに行うことは容易ではなかった。
【０００４】
ところで、ペットの体型は様々である。従来のように、本体部の一定の位置に尻尾用の穴を形成していると、ペットによってはきちんと装着できない場合がある。その結果、オムツのずれ、排泄物の漏れが発生する。
【０００５】
本発明は上記のような状況に鑑みて成されたものであり、装着の容易なペット用オムツを提供することを目的とする。また、体型、体格の異なるペットに対しても柔軟に対応でき、フィット性に優れたペット用オムツを提供することを他の目的とする。
【０００６】
【課題を解決するための手段】
上記目的を達成するために、請求項１に記載の発明に係るペット用オムツは、ペットの胴体に沿って配置され、ペット顔側及び尻尾側に位置する前側端部及び後側端部を有する本体部と；前記本体部においてペットの排泄物を吸収する吸収体と；前記本体部の前側端部において、当該本体部と直交する方向に延びる胴体固定用帯状部と；前記本体部の後側端部を左右に２分割することによって形成される２本の尻部固定用帯状部と；前記２本の尻部固定用帯状部の端部と前記胴体固定用帯状部とを接着する接着手段とを備えている。そして、オムツの装着に際しては、前記胴体固定用帯状部を前記ペットの胴体に巻き付けて固定し、前記ペットの尻部を包み込むように前記２本の尻部固定用帯状部の端部を互いに交差させるとともに、前記接着手段によって当該２本の尻部固定用帯状部の端部を前記胴体固定用帯状部に接着する。
【０００７】
上記のような請求項１に記載の発明においては、本体部の後側端部を２分割することによって形成される２本の尻部固定用帯状部を備え、胴体固定用帯状部をペットの胴体に巻き付けて固定した後、ペットの尻部を包み込むように２本の尻部固定用帯状部の端部を互いに交差させるとともに、接着手段によって当該２本の尻部固定用帯状部の端部を胴体固定用帯状部に接着しているため、装着容易性が向上するとともに、異なる体型、体格のペットに適用できるというメリットがある。すなわち、装着に際して、本体部の穴にペットの尻尾を通す必要が無く、従って、ペットの尻尾をつかむことなくオムツを装着することが可能となる。また、ペットの尻尾に対応する位置が装着の仕方（尻部固定用帯状部のアングル）によって可変であるため、異なる体型、体格のペットにフィットさせることができる。その結果、オムツずれがなくなり、排泄物の漏れを防止することが可能となる。
【０００８】
請求項２に記載の発明においては、前記２本の尻部固定用帯状部は、前記本体部に切り込みを入れることによって形成され、前記切り込みが前記吸収体に達しない。このような構成により、吸収体に染み込んだ尿などの排泄物が当該切り込みから漏れ出すのを防ぐことができる。
【０００９】
請求項３に記載の発明においては、前記接着手段は、前記２本の尻部固定用帯状部の端部に設けられたメカニカルファスナーのフック部と；前記胴体固定用帯状部の外面に設けあれたメカニカルファスナーのループ部とから構成される。尻部固定用帯状部の端部と胴体固定用帯状部との接着位置を調整することにより、着用するペットの体格、体型に柔軟に対応することが可能となる。
【００１０】
請求項４に記載の発明においては、前記２本の尻部固定用帯状部には、前記ペットの尻尾付近において、当該帯状部同士を固定するための接着手段が設けられている。このような構成により、尻尾付近からの排泄物の漏れを抑制することが可能となる。
【００１１】
請求項５に記載の発明においては、前記切り込みの終端部には、当該本体部と剛性の異なる異種部材が配置されている。例えば、請求項６に記載のように、異種部材は、切り込に沿ってその両側に延び、且つ、当該切り込みの前記終端部を囲むようにＵ字状に成形される。このような構成により、異種部材の根元（吸収体側の端部）から本体部が折れ、尿などの排泄物が漏れにくくなる。
【００１２】
請求項７に記載の発明においては、前記２本の尻部固定用帯状部は外側端部に向かって、幅が細くなるように成形されている。このような構成により、当該尻部固定用帯状部をペットの尻尾の両側から交差させて装着するのが容易となる。
【００１３】
【発明の実施の形態】
以下、本発明の実施例について、添付図面を参照して説明する。なお、本明細書の発明の名称として「オムツ」としているが、本発明はオムツ以外にも、尻尾を有するペット用の生理用吸収物品などの実用品の他に、ファッション性のある衣類等のペット用装着物品に広く適用できるものである。
【００１４】
図１は、本発明の第１の実施例にかかるペット用オムツ１０の構造を示す平面図（内側）である。なお、本実施例においては、ペットの胴体（４８）に沿って顔側及び尻尾側に位置する端部を、前側及び後側端部と称する。図１及び図２中、上側がペットの頭側（前側）に対応し、下側がペットの尻側（後側）に対応するように配置される。図２は、ペット用オムツ１０の構造を示す平面図（外側）である。また、図３は、図１のＩ−Ｉ方向の断面図である。本実施例に係るペット用オムツは、全体に長方形をした本体部１２と；本体部１２の前側端部において、当該本体部１２と直交する方向に延びる胴体固定用帯状部１４と；本体部１２においてペットの排泄物を吸収する吸収体１６とを備えている。図３に示すように、吸収体１６は透液性のトップシート４０と防水性のバックシート４２との間に配置されている。
【００１５】
本体部１２の後側端部には、吸収体１６は配置されず、中央にスリット２２が形成されている。このスリット２２によって、左右２本の尻尾固定用帯状部２４ａ，２４ｂを形成する。２本の尻尾固定用帯状部２４ａ，２４ｂの各々の端には、矩形の固定テープ２６ａ，２６ｂが設けられている。固定テープ２６ａ，２６ｂとしては、例えば、メカニカルファスナーの雄側（フック部材）を使用することができる。一方の尻部固定用帯状部２４ａの内側部には、他方の尻部固定用帯状部２４ｂに接着する接着テープ２０が形成されている。接着テープ２０としては、例えば、メカニカルファスナーの雄側（フック部材）を使用することができる。
【００１６】
尻部固定用帯状部２４ａ，２４ｂの幅は、各々、例えば、５０ｍｍ前後とすることが好ましい。尻部固定用帯状部２４ａ，２４ｂの幅が広すぎると、当該帯状部をペットの背中で交差させるのが困難となる。他方、幅が狭すぎると、胴体固定用帯状部との接着強度を確保するのが難しくなる。
【００１７】
吸収体１６の後側（下側）端部は、スリット２２から１０ｍｍ離れて配置される。本実施例においては、吸収体１６がペットの尻尾より後側に達しない構造とし、排泄された尿などによってペットの背中が汚れることを防止している。吸収体１６の形状としては、長方形の他に、上下側が広がった砂時計型、ハンマー型など、股間部分（中央付近）が狭くなった形状を採用することができる。
【００１８】
スリット２２の形状は、単純な直線状に限らず、波形型やジグザク形状などでも良い。また、スリット２２の吸収体１６側の端部に、例えば、１５ｍｍ幅程度の円形の切り抜きを形成し、本体部１２の吸収体１６側を引き裂き難い構造とすることもできる。吸収体１６の両側部には、立体ギャザー１８が設けられている。
【００１９】
尻尾固定用帯状部２４ａ、２４ｂの前側（上側）端部には、本体部１４の素材より剛性が高いが、比較的柔軟な素材であるウレタンフォーム２８が設けられている。このため、尻尾固定用帯状部２４ａ，２４ｂをペットの尻部で交差させた時に、当該帯状部２４ａ，２４ｂが尻尾５０にフィットし、オムツ１０全体のフィット性が向上する。
【００２０】
胴体固定用帯状部１４の形状は、例えば、幅６０ｍｍ、長さ５００ｍｍとする。胴体固定用帯状部１４の前側端部（側部）には、糸ゴムなどの伸縮部材３２が配置されている。伸縮部材３２としては、例えば、８４０デシテックスの３本の糸ゴムを２倍伸縮で固定する。これにより、胴回寸法の違う動物にもしっかりと固定することが可能となる。なお、伸縮部材３２としては、糸ゴムの他に平ゴム等を使用し、或いは、胴体固定用帯状部１４自体をウレタンフォーム、伸縮性を有するフィルムなどで成形することができる。
【００２１】
図２に示すように、胴体固定用帯状部１４には、固定テープ２６ａ，２６ｂに接着する接着領域３４が形成されている。接着領域３４は、固定テープ２６ａ，２６ｂの構造に対応し、メカニカルファスナーの雌側（ループ部材）を使用する。胴体固定用帯状部１４の一方の端部には、胴体固定用の接着テープ３６が設けられている。接着領域３４のループ部材に対応し、接着テープ３６としては、メカニカルファスナーの雄側（フック部材）を使用する。
【００２２】
次に、本実施例に係るペット用オムツの使用方法について、図４〜図６を参照して説明する。最初に、図４に示すように、ペットの胴体４８の下側において、オムツ本体１２の前側半分をあてがう。次に、胴体固定用帯状部１４をペットの胴体４８に巻き付け、接着テープ３６によって固定する。その後、後側端部の尻尾固定用帯状部２４ａ，２４ｂを持ち上げ、図５に示すように、尻尾５０を左右両側から挟み込むように、且つ、尻部を包み込むように、帯状部２４ａ、２４ｂを交差させる。
【００２３】
その後、固定テープ２６ａ，２６ｂを胴体固定用帯状部１４の接着領域３４上に接着する。これにより、図６に示すように、本実施例に係るオムツ１０がペットに対して固定される。
【００２４】
図７は、本発明の第２の実施例にかかるペット用オムツの構造を示す平面図（内側）である。なお、上記第１の実施例と同一又は対応する構成要素については、同一の符号を付し、重複した説明を避ける。本実施例が上記第１の実施例と異なる点は、胴体固定用帯状部１４が片側に長く延びている点である。
【００２５】
図８は、本発明の第３の実施例にかかるペット用オムツの構造を示す平面図（内側）である。なお、上記各実施例と同一又は対応する構成要素については、同一の符号を付し、重複した説明を避ける。本実施例が上記第１の実施例と異なる点は、本体部１２に形成されたスリット２２の前側（吸収体１６側）の端部に、異種部材５２が設けられている点である。異種部材５２は、本体部１２より剛性が高いが、比較的柔軟な素材から構成される。本実施例において、異種部材５２は、切り込に２２沿ってその両側に延び、且つ、当該切り込み２２の終端部を囲むようにＵ字状に成形されている。このような構成により、異種部材５２の根元（吸収体１６側の端部）から本体部１２が折れ、尿などの排泄物が漏れ難くなる。なお、異種部材５２の形状は図８に示すものの他、単にスリット２２に沿って延びる直線状でも良い。
【００２６】
図９は、本発明の第４の実施例にかかるペット用オムツの構造を示す平面図（内側）である。なお、上記各実施例と同一又は対応する構成要素については、同一の符号を付し、重複した説明を避ける。本実施例が上記第１の実施例と異なる点は、尻尾固定用帯状部２４ａ、２４ｂの先端部が細くなっている点にある。このような構成により、尻部固定用帯状部２４ａ，２４ｂをペットの尻尾５０の両側から交差させて装着するのが容易となる。
【００２７】
以上、本発明の実施の形態について説明したが、本発明はこれに限定されるものではなく、特許請求の範囲に示された技術的思想の範囲内で適宜設計変更可能であることは言うまでもない。
【００２８】
【発明の効果】
以上説明したように、本出願の請求項１に記載の発明によれば、オムツ本体の端部に形成された２本の帯状部によって、ペットの尻尾を挟み込むようにしているため、オムツ本体にはスリットを形成するだけで足り、穴を形成する必要がない。このため、ペットの尻尾を手でつかむことなく、極めて簡易にオムツの装着を行うことができる。また、帯状部の交差具合（アングル）、引っ張り具合などを調整することによって、ペットの胴体及び尻部の形状、大きさ、尻尾の位置に柔軟に対応することができ、常に良好なフィット性で装着することができる。更には、スリットを形成する構造であり、穴を開ける場合のように、製造時において穴に相当する部分から除去された材料が発生するようなことがない。
【００２９】
請求項２に記載の発明によれば、吸収体に染み込んだ尿などの排泄物が当該切り込みから漏れ出すのを防ぐことができる。
【００３０】
請求項３に記載の発明によれば、尻部固定用帯状部の端部と胴体固定用帯状部との接着位置を調整することにより、着用するペットの体格、体型に柔軟に対応することが可能となる。
【００３１】
請求項４に記載の発明によれば、尻尾付近からの排泄物の漏れを抑制することが可能となる。
【００３２】
請求項５及び６に記載の発明によれば、異種部材の根元（吸収体側の端部）から本体部が折れ、尿などの排泄物が漏れにくくなる。
【００３３】
請求項７に記載の発明によれば、尻部固定用帯状部をペットの尻尾の両側から交差させて装着するのが容易となる。
【図面の簡単な説明】
【図１】図１は、本発明の第１の実施例にかかるペット用オムツの構造を示す平面図（内側）である。
【図２】図２は、第１の実施例にかかるペット用オムツの構造を示す平面図（外側）である。
【図３】図３は、図１のＩ−Ｉ方向の断面図である。
【図４】図４は、第１の実施例の使用方法を示す説明図である。
【図５】図５は、第１の実施例の使用方法を示す説明図である。
【図６】図６は、第１の実施例の使用状態を示す説明図である。
【図７】図７は、本発明の第２の実施例にかかるペット用オムツの構造を示す平面図（内側）である。
【図８】図８は、本発明の第３の実施例にかかるペット用オムツの構造を示す平面図（内側）である。
【図９】図９は、本発明の第２の実施例にかかるペット用オムツの構造を示す平面図（内側）である。
【符号の説明】
１０      ペット用オムツ
１２      本体部
１４      胴体固定用帯状部
１６      吸収体
２２      スリット
２４ａ，２４ｂ      尻尾固定用帯状部
２６ａ，２６ｂ      接着テープ
４８      ペット胴体
５０      尻尾
５２      異種部材
【図１】
0004907793.tif 000002
【図２】
0004907793.tif 000003
【図３】
0004907793.tif 000004
【図４】
0004907793.tif 000005
【図５】
0004907793.tif 000006
【図６】
0004907793.tif 000007
【図７】
0004907793.tif 000008
【図８】
0004907793.tif 000009
【図９】
0004907793.tif 000010